(57)【要約】【課題】連絡配線を伝って出火元でない端子盤が類焼するのを防止する。【解決手段】空気調和機の室外機は、金属製のケーシング１０と、ケーシング１０の内部に配置され、且つ、室内機と室外機とを電気的に接続するための連絡配線２が接続される端子盤２０と、端子盤２０に接続される連絡配線２をケーシング１０に固定する配線止めバンド３０と、端子盤２０と配線止めバンド３０との間における連絡配線２の少なくとも一部を覆う金属製の遮蔽板４０とを備えている。また、遮蔽板４０と配線止めバンド３０とは、接するように配置されている。【選択図】図４
2008175411.tif 000002
【特許請求の範囲】
【請求項１】
室内機と、室外機（１）と、前記室内機及び前記室外機を電気的に接続する連絡配線（２）とを含む空気調和機であって、
前記室内機又は前記室外機に含まれるケーシング（１０）と、
前記ケーシングに配置される端子盤（２０）と、
前記端子盤に接続される前記連絡配線を前記ケーシングに固定する配線止め部（３０、１４２）と、
前記端子盤と前記配線止め部との間における前記連絡配線の少なくとも一部を覆う金属製の遮蔽部（４０、１４１、２４０）とを備えていることを特徴とする空気調和機。
【請求項２】
前記ケーシング（１０）には、前記連絡配線を上方に位置する前記端子盤に導く傾斜面（１１ｂ）が設けられ、
前記遮蔽部（４０、１４１、２４０）は、前記ケーシングの傾斜面に沿うように形成されていることを特徴とする請求項１に記載の空気調和機。
【請求項３】
前記遮蔽部（４０）及び前記配線止め部（３０）は、互いに接するように配置されていることを特徴とする請求項１又は２に記載の空気調和機。
【請求項４】
前記遮蔽部（２４０）は前記配線止め部（３０）の前記遮蔽部側の端部（３０ｂ）を覆うように設けられ、又は、前記配線止め部は前記遮蔽部の前記配線止め部側の端部（４２ａ）を覆うように設けられていることを特徴とする請求項１又は２に記載の空気調和機。
【請求項５】
前記遮蔽部（１４１）と前記配線止め部（１４２）とが一体的に形成されていることを特徴とする請求項１又は２に記載の空気調和機。
【発明の詳細な説明】
【技術分野】
【０００１】
本発明は、空気調和機に関し、特に、室内機と室外機とが連絡配線により電気的に接続された空気調和機に関する。
【背景技術】
【０００２】
室内の冷暖房などの空気調和を行う空気調和機には、室外機と室内機とが分離されたセパレート型の空気調和機が一般的に普及している。そして、室内機と室外機との間は、電力線や信号線などの連絡配線により電気的に接続されている。この連絡配線は、室外機において圧縮機やファンなどの駆動を制御するインバータ装置など種々の電子機器が接続される端子盤に接続されている。
【０００３】
ところで、端子盤と連絡配線との接続部分では、接触不良や雨水の浸入など様々な要因により発火に至るという問題があった。そこで、従来では、発火源となる室外機の端子盤に防炎カバーを取り付けて、当該端子盤を覆うことにより、端子盤の発火によって他の部分が類焼するのを防止している（例えば、特許文献１〜３参照）。
【０００４】
上記特許文献１には、連絡配線が接続される室外機内の端子盤を金属製の防炎カバーで覆う空気調和機が開示されている。この特許文献１に開示された空気調和機では、連絡配線と端子盤との接続部分の接触不良により端子盤が発火に至った場合でも、端子盤を覆う防炎カバーで消化することにより、端子盤から他の部分へ類焼してしまうのを防止している。
【０００５】
また、上記特許文献２には、室内機側から延びる連絡配線を室外機の内部の端子盤に導くための開口部に板金からなる蓋を装着する空気調和機が開示されている。この特許文献２に開示された空気調和機では、開口部を板金からなる蓋で覆うことにより、端子盤が発火に至った場合でも、当該開口部を介して外部の他の部分が類焼してしまうのを防止している。
【０００６】
また、上記特許文献３には、冷媒回路を開閉するバルブのバルブカバーの一部を凸状に形成することによって、バルブカバーに端子盤を覆う端子カバー部が設けられた空気調和機が開示されている。この特許文献３に開示された空気調和機では、連絡配線と端子盤との接続部分の接触不良により端子盤が発火に至った場合でも、バルブカバーの端子カバー部で消化することにより、端子盤から他の部分へ類焼してしまうのを防止している。
【０００７】
【特許文献１】特開平１１−２４２８号公報
【特許文献２】特開２００３−１２０９６１号公報
【特許文献３】特開２００５−１８０７２５号公報
【発明の開示】
【発明が解決しようとする課題】
【０００８】
しかしながら、上記した特許文献１〜特許文献３に開示された空気調和機では、端子盤からの出火に対しては、他の部分へ延焼してしまうのを防止することができるが、外部からの出火により炎が連絡配線を伝ってきた場合には、端子盤が類焼してしまうことがある。したがって、出火元が端子盤の場合、出火元が端子盤外で連絡配線を伝って類焼する場合、いずれの場合も、端子盤が類焼してしまい、出火元を特定するのが困難であった。
【０００９】
そこで、この発明は、上記のような課題を解決するためになされたものであり、連絡配線を伝って出火元でない端子盤が類焼してしまうのを防止することが可能な空気調和機を提供することを目的とする。
【課題を解決するための手段】
【００１０】
第１の発明にかかる空気調和機は、室内機と、室外機と、室内機及び室外機を電気的に接続する連絡配線とを含む空気調和機であって、室内機又は室外機に含まれるケーシングと、ケーシングに配置される端子盤と、端子盤に接続される連絡配線をケーシングに固定する配線止め部と、端子盤と配線止め部との間における連絡配線の少なくとも一部を覆う金属製の遮蔽部とを備えている。
【００１１】
この空気調和機では、端子盤と配線止め部との間における連絡配線の少なくとも一部が遮蔽部により覆われているので、その覆われた部分には空気が供給されにくくなる。これにより、遮蔽部により覆われた部分において連絡配線の燃焼に必要な酸素の供給が抑制されるので、当該部分で連絡配線の燃焼を窒息消火することができる。その結果、連絡配線を伝って出火元でない端子盤が類焼してしまうのを防止することができる。したがって、室外機のケーシングに端子盤が配置される場合には、室外機外部の出火から室外機の端子盤が類焼してしまうのを防止でき、室内機のケーシングに端子盤が配置される場合には、室内機外部の出火から室内機の端子盤が類焼してしまうのを防止することができる。また、配線止め部のみでも消化できる場合もあるが、本発明では配線止め部を乗り越えて連絡配線が延焼する場合でも、その延焼を遮蔽部で窒息消火することができ、端子盤が類焼するのを防止することができる。
【００１２】
第２の発明にかかる空気調和機は、第１の発明にかかる空気調和機において、ケーシングには、連絡配線を上方に位置する端子盤に導く傾斜面が設けられ、遮蔽部は、ケーシングの傾斜面に沿うように形成されている。
【００１３】
この空気調和機では、遮蔽部をケーシングの傾斜面に沿うように形成することによって、連絡配線を伝って垂直上方に進行する炎を遮ることができる。その結果、垂直上方に進行する炎が端子盤に類焼するのを抑制することができる。また、遮蔽部をケーシングの傾斜面に沿うように形成することによって、連絡配線の燃焼による上方への空気の移動を遮ることができるので、その傾斜面に沿うように形成された部分に空気を滞在させることができる。これにより、遮蔽部により覆われた部分において連絡配線の燃焼に必要な酸素の供給がより抑制されるので、当該部分で連絡配線の燃焼を窒息消火することができる。その結果、連絡配線を伝って出火元でない端子盤が類焼してしまうのを確実に防止することができる。
【００１４】
第３の発明にかかる空気調和機は、第１又は第２の発明にかかる空気調和機において、遮蔽部及び配線止め部は、互いに接するように配置されている。
【００１５】
この空気調和機では、遮蔽部及び配線止め部を互いに接するように配置することによって、遮蔽部と配線止め部との間から遮蔽部により覆われた部分には空気がさらに供給されにくくなる。これにより、遮蔽部により覆われた部分において連絡配線の燃焼に必要な酸素の供給がより抑制されるので、当該部分で連絡配線の燃焼を窒息消火することができる。その結果、連絡配線を伝って出火元でない端子盤が類焼してしまうのを確実に防止することができる。さらに、遮蔽部及び配線止め部を互いに接するように配置することによって、遮蔽部と配線止め部との間に隙間が形成されることがないので、当該隙間の連絡配線が配線止め部を乗り越えた炎で延焼することがない。その結果、連絡配線を伝う炎が配線止め部を乗り越えて進行しようとする場合にも、出火元でない端子盤が類焼してしまうのを防止することができる。
【００１６】
第４の発明にかかる空気調和機は、第１又は第２の発明にかかる空気調和機において、遮蔽部は配線止め部の遮蔽部側の端部を覆うように設けられ、又は、配線止め部は遮蔽部の配線止め部側の端部を覆うように設けられている。
【００１７】
この空気調和機では、遮蔽部を配線止め部の遮蔽部側の端部を覆うように設けて、又は、配線止め部を遮蔽部の配線止め部側の端部を覆うように設けることにより、遮蔽部と配線止め部との間から遮蔽部により覆われた部分には空気が供給されにくくなる。その結果、遮蔽部により覆われた部分において連絡配線の燃焼に必要な酸素の供給がより抑制されるので、当該部分で連絡配線の燃焼を窒息消火することができる。その結果、連絡配線を伝って出火元でない部分が類焼してしまうのを確実に防止することができる。
【００１８】
第５の発明にかかる空気調和機は、第１又は第２の発明のいずれかにかかる空気調和機において、遮蔽部と配線止め部とが一体的に形成されている
【００１９】
この空気調和機では、遮蔽部と配線止め部とを一体的に形成することによって、空気調和機の部品点数が増加するのを抑制することができる。また、遮蔽部と配線止め部とを両方別々に組み付ける場合に比べて、組み付け作業が煩雑になるのを防止することができる。
【発明の効果】
【００２０】
以上の説明に述べたように、本発明によれば、以下の効果が得られる。
【００２１】
第１〜第５の発明では、端子盤と配線止め部との間における連絡配線の少なくとも一部が遮蔽部により覆われているので、その覆われた部分には空気が供給されにくくなる。これにより、遮蔽部により覆われた部分において連絡配線の燃焼に必要な酸素の供給が抑制されるので、当該部分で連絡配線の燃焼を窒息消火することができる。その結果、連絡配線を伝って出火元でない端子盤が類焼してしまうのを防止することができる。
【００２２】
第３の発明では、遮蔽部及び配線止め部を互いに接するように配置することによって、遮蔽部と配線止め部との間に隙間が形成されることがないので、当該隙間の連絡配線が配線止め部を乗り越えた炎で延焼することがない。その結果、連絡配線を伝う炎が配線止め部を乗り越えて進行しようとする場合にも、出火元でない端子盤が類焼してしまうのを防止することができる。
【００２３】
第５の発明では、遮蔽部と配線止め部とを一体的に形成することによって、空気調和機の部品点数が増加するのを抑制することができる。また、遮蔽部と配線止め部とを両方別々に組み付ける場合に比べて、組み付け作業が煩雑になるのを防止することができる。
【発明を実施するための最良の形態】
【００２４】
以下、図面に基づいて、本発明に係る空気調和機の実施形態について説明する。
【００２５】
図１は、本発明の一実施形態に係る空気調和機の室外機の斜視図であり、図２は、図１に示した室外機の室外機本体の斜視図である。図３は、図１に示した室外機のケーシングの開口部周辺を模式的に示した正面図であり、図４は、図１に示した室外機のケーシングの開口部周辺を模式的に示した側面図である。そして、図５は、図１に示した室外機の配線止めバンドの斜視図であり、図６〜図８は、図１に示した室外機の遮蔽板を示した図である。以下、図１〜図８を参照して、本発明の一実施形態に係る空気調和機の室外機１について説明する。
【００２６】
空気調和機は、室内機（図示せず）と室外機１とを備えている。室外機１は、図１及び図２に示すように、ファン１０１や圧縮機などを備えた室外機本体１００にファンガード１００ａや側面パネル１００ｂ等が取り付けられて、略直方体形状の外観を形成している。
【００２７】
室外機本体１００は、図２に示すように、金属製のケーシング１０内に上記したファン１０１、圧縮機、熱交換器などを収容している。そして、ケーシング１０の側面１１の下方には、室内機への接続配管が接続される複数のバルブ１０２が設けられている。また、ケーシング１０の側面１１の上方には、後述する端子盤２０（図３及び図４参照）に接続される連絡配線２を外部に導くための開口部１１ａが設けられている。なお、連絡配線２は、電力線及び信号線を含む３本のケーブルからなり、各々の連絡配線２は図示しない室内機に電気的に接続される。そして、図３及び図４に示すように、ケーシング１０の開口部１１ａの下側の位置には、連絡配線２を端子盤２０に導く傾斜面１１ｂが設けられている。この傾斜面１１ｂはケーシング１０の内部側且つ上側に向かって傾斜している。
【００２８】
端子盤２０は、ケーシング１０の内部に配置され、ファン１０１や圧縮機などの動作を制御するインバータ装置などの室外機内の電気部品からのリード線と、室内機から延びる連絡配線２とを電気的に接続する。
【００２９】
絶縁性材料の配線止めバンド３０は、図５に示すように、３本の連絡配線２の各々が接触しないように形成されており、３本の連絡配線２がそれぞれ通過する３つの配線通過部３１と、当該配線通過部３１を連結するとともにケーシング１０の側面１１に当接する４つの当接部３２とを有している。４つの当接部３２のそれぞれには、配線止めバンド３０をケーシング１０の側面１１に固定するための４つのネジ３０ａが貫通可能な貫通孔３２ａが設けられている。そして、貫通孔３２ａを介してネジ３０ａがケーシング１０の側面１１に締め付けられることにより、３本の連絡配線２が接触しない状態で保持される。この配線止めバンド３０は、上記した開口部１１ａの下方の位置に取り付けられており、開口部１１ａを介して外部に導かれる連絡配線２を固定する。
【００３０】
また、ケーシング１０には、図３及び図４に示すように、金属性の遮蔽板４０がネジ４０ａによって取り付けられており、下端４２ａが配線止めバンド３０の上端３０ｂと接するように配置される。また、図６〜図８に示すように、遮蔽板４０は断面弓形状であり、ケーシング１０に取り付けられた状態でケーシング１０の側面１１及び傾斜面１１ｂとの間に空間を形成する。そして、配線止めバンド３０に固定される連絡配線２が当該空間内を通過して、ケーシング１０内の端子盤２０に導かれる。
【００３１】
この遮蔽板４０は、上記したケーシング１０の傾斜面１１ｂに沿うように形成される斜面被覆部４１と、ケーシング１０の側面１１に沿うように形成される側面被覆部４２と、正面視左右に突出する突出片４３及び４４とが設けられている。突出片４３には、遮蔽板４０をケーシング１０の側面１１に取り付けるためのネジ４０ａが貫通可能な貫通孔４３ａが設けられている。斜面被覆部４１は、ケーシング１０の傾斜面１１ｂに当接して、当該傾斜面１１ｂに配置される連絡配線２を覆うと共に、側面被覆部４２は、ケーシング１０の側面１１に当接して、配線止めバンド３０と傾斜面１１ｂとの間の連絡配線２を覆う。これにより、端子盤２０と配線止めバンド３０との間における少なくとも一部の連絡配線２が遮蔽板４０に覆われる。
【００３２】
［本実施形態の空気調和機の室外機の特徴］
本実施形態の空気調和機の室外機１には、以下のような特徴がある。
【００３３】
本実施形態の空気調和機の室外機１では、端子盤２０と配線止めバンド３０との間における少なくとも一部の連絡配線２が遮蔽板４０により覆われているので、その覆われた部分には空気が供給されにくくなる。これにより、遮蔽板４０により覆われた部分において連絡配線２の燃焼に必要な酸素の供給が抑制されるので、当該部分で連絡配線２の燃焼を窒息消火することができる。なお、実験では、端子盤２０と配線止めバンド３０との間における１５ｍｍの連絡配線２を覆うことにより、窒息消火できることが確認されている。その結果、連絡配線２を伝って出火元でない部分が類焼してしまうのを防止することができる。したがって、室内機（出火元）から室外機１へ類焼してしまうのを防止することができる。
【００３４】
また、本実施形態の空気調和機の室外機１では、遮蔽板４０をケーシング１０の傾斜面１１ｂに沿うように形成することによって、連絡配線２を伝って垂直上方（図４の矢印Ｂ方向）に進行する炎を遮ることができる。その結果、垂直上方に進行する炎が端子盤２０に類焼するのを抑制することができる。また、遮蔽板４０をケーシング１０の傾斜面１１ｂに沿うように形成することによって、連絡配線２の燃焼による上方への空気の移動を遮ることができるので、その傾斜面１１ｂに沿うように形成された部分に空気を滞在させることができる。これにより、遮蔽板４０により覆われた部分において連絡配線２の燃焼に必要な酸素の供給がより抑制されるので、当該部分で連絡配線２の燃焼を窒息消火することができる。その結果、連絡配線２を伝って出火元でない端子盤２０が類焼してしまうのを確実に防止することができる。
【００３５】
また、本実施形態の空気調和機の室外機１では、遮蔽板４０及び配線止めバンド３０を互いに接するように配置することによって、遮蔽板４０と配線止めバンド３０との間から遮蔽板４０により覆われた部分には空気がさらに供給されにくくなる。これにより、遮蔽板４０により覆われた部分において連絡配線２の燃焼に必要な酸素の供給がより抑制されるので、当該部分で連絡配線２の燃焼を窒息消火することができる。その結果、連絡配線２を伝って出火元でない端子盤２０が類焼してしまうのを確実に防止することができる。さらに、遮蔽板４０及び配線止めバンド３０を互いに接するように配置することによって、遮蔽部４０と配線止めバンド３０との間に隙間が形成されることがないので、当該隙間の連絡配線２が配線止めバンド３０を乗り越えた炎で延焼することがない。その結果、連絡配線２を伝う炎が図４の矢印Ａ方向に沿って配線止めバンド３０を乗り越えて進行しようとする場合にも、出火元でない端子盤２０が類焼してしまうのを防止することができる。
【００３６】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味および範囲内でのすべての変更が含まれる。
【００３７】
例えば、上記実施形態では、配線止めバンドと遮蔽板とを別体で構成する例を示したが、本発明はこれに限らず、図９に示す第１変形例のように、配線止めバンドと遮蔽板とを一体的に形成した遮蔽部材１４０を空気調和機に適用してもよい。具体的には、遮蔽部材１４０は、上記実施形態の遮蔽板４０の機能を有する遮蔽部１４１と、配線止めバンド３０の機能を有する配線止め部１４２とが一体的に形成されている。そして、この配線止め部１４２には、３本の連絡配線の各々が接触しない状態でケーシングの側面に固定するための３つの配線通過部１４２ａが形成されている。この遮蔽部材１４０を用いた場合、室外機の部品点数が増加するのを抑制することができる。また、遮蔽板と配線止めバンドとを両方別々組み付ける場合に比べて、組み付け作業が煩雑になるのを防止することができる。
【００３８】
また、上記実施形態では、下端４２ａが配線止めバンド３０の上端３０ｂとが接するように配置された遮蔽板４０を用いる例を示したが、本発明はこれに限らず、図１０に示す第２変形例のように、側面被覆部２４２が配線止めバンド３０の上端３０ｂを覆う遮蔽板２４０を用いてもよい。この場合には、遮蔽板２４０と配線止めバンド３０との間から遮蔽板２４０により覆われた部分に空気が供給されるのをより抑制することができる。その結果、遮蔽板２４０により覆われた部分において連絡配線２の燃焼に必要な酸素の供給がより抑制されるので、当該部分で連絡配線２の燃焼を窒息消火することができる。その結果、連絡配線２を伝って出火元でない部分が類焼してしまうのを確実に防止することができる。なお、配線止めバンドが遮蔽板の下端４２ａを覆うようにしてもよい。この場合でも、同様の効果を得ることができる。
【産業上の利用可能性】
【００３９】
本発明を利用すれば、連絡配線を伝って出火元でない部分が類焼してしまうのを防止することができる。
【図面の簡単な説明】
【００４０】
【図１】本発明の一実施形態に係る空気調和機の室外機の斜視図である。
【図２】図１に示した室外機の室外機本体の斜視図である。
【図３】図１に示した室外機のケーシングの開口部周辺を模式的に示した正面図である。
【図４】図１に示した室外機のケーシングの開口部周辺を模式的に示した側面図である。
【図５】図１に示した室外機の配線止めバンドの斜視図である。
【図６】図１に示した室外機の遮蔽板の斜視図である。
【図７】図１に示した室外機の遮蔽板の背面図である。
【図８】図１に示した室外機の遮蔽板の側面図である。
【図９】本発明の一実施形態の第１変形例に係る遮蔽板の斜視図である。
【図１０】本発明の一実施形態の第２変形例に係る遮蔽板が取り付けられたケーシングの開口部周辺を模式的に示した正面図である。
【符号の説明】
【００４１】
１  室外機
２  連絡配線
１０  ケーシング
１１ｂ  傾斜面
２０  端子盤
３０  配線止めバンド（配線止め部）
３０ｂ  上端
４０、２４０  遮蔽板（遮蔽部）
４１  斜面被覆部
４２、２４２  側面被覆部
４２ａ  下端
１４０  遮蔽部材
１４１  遮蔽部
１４２  配線止め部
【図１】
2008175411.tif 000003
【図２】
2008175411.tif 000004
【図３】
2008175411.tif 000005
【図４】
2008175411.tif 000006
【図５】
2008175411.tif 000007
【図６】
2008175411.tif 000008
【図７】
2008175411.tif 000009
【図８】
2008175411.tif 000010
【図９】
2008175411.tif 000011
【図１０】
2008175411.tif 000012